(57)【要約】【課題】天井パネルのコストを低減しつつ、体裁を良好に維持できる空気調和機を得ることにある。【解決手段】空気調和機は、天井面に重なるように室内ユニットの下端に取り付けられ、空調すべき空間に空気を吹き出す吹出口が開口されたパネル片部を有する天井パネルと、天井パネルに支持され、吹出口を閉じる閉じ位置と吹出口を開放する開き位置との間で回動可能に天井パネルに支持されたフラットなルーバーと、を備えている。パネル片部は、天井パネルの外郭を規定する縁部を有する。ルーバーは、閉じ位置に回動された状態においてパネル片部を下方から全面的に覆う大きさを有する。ルーバーの先端縁から立ち上がる風向ガイドは、ルーバーが閉じ位置に回動された時にパネル片部の縁部に被さる。【選択図】図７
2018141575.tif 000002
【特許請求の範囲】
【請求項１】
天井裏に据え付けられる室内ユニットと、
天井面に重なるように前記室内ユニットの下端に取り付けられ、空調すべき空間に空気を吹き出す吹出口が開口されたパネル片部を有する天井パネルと、
前記天井パネルに支持され、前記吹出口を閉じる閉じ位置と前記吹出口を開放する開き位置との間で回動可能であるとともに、フラットな形状を有するルーバーと、を具備し、
前記天井パネルの前記パネル片部は、前記吹出口から外れた位置に前記天井パネルの外郭を規定する縁部を有し、
前記ルーバーは、前記閉じ位置に回動された状態において、前記パネル片部を下方から全面的に覆う大きさを有し、当該ルーバーが前記開き位置に回動された時に前記吹出口から吹き出す空気の流れ方向に沿う下流端に位置される前記ルーバーの先端縁に当該先端縁から立ち上がる風向ガイドが設けられ、
前記ルーバーが前記閉じ位置に回動された状態では、前記風向ガイドが前記パネル片部の前記縁部に被さる空気調和機。
【請求項２】
前記ルーバーが前記閉じ位置に回動された状態では、前記風向ガイドの上端が前記天井面と向かい合う請求項１に記載の空気調和機。
【請求項３】
前記風向ガイドの上端と前記天井面との間に隙間が形成された請求項２に記載の空気調和機。
【請求項４】
前記天井パネルは、前記パネル片部に連続する端部と、当該端部を下方から全面的に覆う取り外し可能な化粧カバーと、を含み、前記天井パネルの前記端部は、前記パネル片部の前記縁部と協働して前記天井パネルの外郭を規定する端縁部を有し、前記化粧カバーは、フラットな形状を有するとともに、当該化粧カバーの外周縁に前記端縁部に被さる起立壁が形成された請求項１ないし請求項３のいずれか一項に記載の空気調和機。
【請求項５】
前記ルーバーは、空調すべき前記空間に露出される化粧面を有し、前記ルーバーが前記閉じ位置に回動された状態では、前記化粧面が前記化粧カバーに対し面一に連続する請求項４に記載の空気調和機。
【請求項６】
前記ルーバーの前記風向ガイドの高さが前記化粧カバーの前記起立壁の高さと同一である請求項４又は請求項５に記載の空気調和機。
【請求項７】
前記風向ガイドは、前記ルーバーの長手方向に沿う全長に亘って延びているとともに、前記風向ガイドの高さが前記ルーバーの全長に亘って一定である請求項６に記載の空気調和機。
【請求項８】
前記ルーバーは、前記化粧面の裏側に位置された背面と、前記背面の長手方向に沿う中間部に設けられた補強部と、を含み、前記補強部は、前記ルーバーの前記背面と向かい合う羽根板を有し、当該羽根板と前記ルーバーの前記背面との間に前記吹出口から吹き出す空気が通過する風路が設けられた請求項１に記載の空気調和機。
【請求項９】
前記羽根板を支える複数のリブが前記風路に設けられた請求項８に記載の空気調和機。
【請求項１０】
天井裏に据え付けられ、下向きに開口された吸込口を有する室内ユニットと、
天井面に重なるように前記室内ユニットの下端に取り付けられた天井パネルと、を具備した空気調和機であって、
前記天井パネルは、
前記吸込口を下方から覆う吸込みグリルと、
前記吸込みグリルを取り囲む四つのパネル片部を有し、各パネル片部に空調すべき空間に空気を吹き出す吹出口が開口された枠体と、
前記枠体に支持され、前記吹出口を閉じる閉じ位置と、前記吹出口を開放する開き位置との間で回動可能であるとともに、フラットな形状を有する四つのルーバーと、を含み、
前記天井パネルの前記パネル片部は、前記吹出口から外れた位置に前記天井パネルの外郭を規定する縁部を有し、
前記各ルーバーは、前記閉じ位置に回動された状態において、前記各パネル片部を下方から全面的に覆う大きさを有し、当該ルーバーが前記開き位置に回動された時に前記吹出口から吹き出す空気の流れ方向に沿う下流端に位置する前記ルーバーの先端縁に当該先端縁から立ち上がる風向ガイドが設けられ、
前記各ルーバーが前記閉じ位置に回動された状態では、前記風向ガイドが前記パネル片部の前記縁部に被さる空気調和機。
【請求項１１】
前記天井パネルは、隣り合う前記パネル片部を繋ぐ四つのコーナ部と、当該コーナ部を下方から全面的に覆う大きさを有する四つの化粧カバーと、をさらに備え、前記天井パネルの前記コーナ部は、夫々前記パネル片部の前記縁部と協働して前記天井パネルの外郭を規定する端縁部を有し、前記化粧カバーは、夫々フラットな形状を有するとともに、当該化粧カバーの外周縁に前記端縁部に被さる起立壁が形成された請求項１０に記載の空気調和機。
【請求項１２】
前記ルーバーは、夫々空調すべき前記空間に露出される化粧面を有し、前記ルーバーが前記閉じ位置に回動された状態では、前記化粧面が前記化粧カバーに対し面一に連続する請求項１１に記載の空気調和機。
【発明の詳細な説明】
【技術分野】
【０００１】
本発明の実施形態は、天井埋め込み型の空気調和機に関する。
【背景技術】
【０００２】
天井埋め込み型の空気調和機は、天井裏に据え付けられた室内ユニットと、室内ユニットの下端に取り付けられた四角い天井パネルと、を備えている。天井パネルは、天井面に沿うような形態で空調すべき室内に露出されているとともに、天井パネルの外郭を規定する縁部が天井面に接している。
【０００３】
天井パネルは、室内の空気を吸い込む吸込みグリルと、吸込みグリルの周囲に位置された四つの吹出口と、を備えている。吹出口は、天井パネルの縁部に沿って延びる細長い開口形状を有し、当該吹出口に冷風又は温風の吹き出し方向を変化させるルーバーが設けられている。
【０００４】
ルーバーは、吹出口の開口形状に合致するような細長い形状を有するとともに、吹出口を閉じる閉じ位置と吹出口を開放する開き位置との間で回動可能に天井パネルに支持されている。ルーバーが閉じ位置に回動された状態では、ルーバーが水平となって天井パネルと同一の平面上に位置するようになっている。
【先行技術文献】
【特許文献】
【０００５】
【特許文献１】国際公開第２０１５／１１１２８１号
【発明の概要】
【発明が解決しようとする課題】
【０００６】
従来の空気調和機によると、吹出口は、天井パネルの縁部と吸込みグリルとの間に位置されており、吹出口の開口側縁が天井パネルの縁部よりも吸込みグリルの側に片寄っている。
【０００７】
ルーバーは、吹出口の内側に配置されているので、ルーバーが閉じ位置に回動された状態では、吹出口の開口側縁とルーバーとの間の境界線が天井パネルの上に露出された形態となる。
【０００８】
この結果、室内から天井パネルを見上げた時に、吹出口とルーバーとの間の境界線が目に留まり易く、天井パネルの外観およびデザイン的な面で改善の余地がある。
【０００９】
しかも、天井パネルは、ルーバーが吹出口を閉じた状態においても室内に露出する。このため、天井パネルの外観を良好に維持するため、天井パネルに格別な仕上げ加工を施す必要があり、空気調和機のコストアップを招く一つの要因となる。
【００１０】
本発明の目的は、天井パネルのコストを低減しつつ、体裁を良好に維持できる空気調和機を得ることにある。
【課題を解決するための手段】
【００１１】
実施形態によれば、空気調和機は、天井裏に据え付けられる室内ユニットと、天井面に重なるように前記室内ユニットの下端に取り付けられ、空調すべき空間に空気を吹き出す吹出口が開口されたパネル片部を有する天井パネルと、前記吹出口を閉じる閉じ位置と前記吹出口を開放する開き位置との間で回動可能に前記天井パネルに支持されたフラットな形状を有するルーバーと、を備えている。  
前記天井パネルの前記パネル片部は、前記吹出口から外れた位置に前記天井パネルの外郭を規定する縁部を有する。前記ルーバーは、前記閉じ位置に回動された状態において、前記パネル片部を下方から全面的に覆う大きさを有し、当該ルーバーが前記開き位置に回動された時に前記吹出口から吹き出す空気の流れ方向に沿う下流端に位置される前記ルーバーの先端縁に当該先端縁から立ち上がる風向ガイドが設けられている。前記ルーバーが前記閉じ位置に回動された状態では、前記風向ガイドが前記パネル片部の前記縁部に被さる。
【図面の簡単な説明】
【００１２】
【図１】第１の実施形態に係る天井埋め込み型の空気調和機の斜視図である。
【図２】室内ユニットと天井パネルとを互いに分離した状態を示す空気調和機の斜視図である。
【図３】ルーバーが開き位置に回動された状態を示す空気調和機の斜視図である。
【図４】第１の実施形態の空気調和機で用いる天井パネルの斜視図である。
【図５】第１の実施形態の空気調和機で用いる天井パネルの平面図である。
【図６】第１の実施形態の空気調和機で用いるルーバーの斜視図である。
【図７】ルーバーが閉じ位置に回動された時のルーバーと吹出口との位置関係を示す断面図である。
【図８】ルーバーが開き位置に回動された時のルーバーと吹出口との位置関係を示す断面図である。
【図９】第２の実施形態において、ルーバーが開き位置に回動された時のルーバーと吹出口との位置関係を示す断面図である。
【発明を実施するための形態】
【００１３】
［第１の実施形態］
以下、第１の実施形態について、図１ないし図８を参照して説明する。
【００１４】
図１は、天井埋め込み型の空気調和機の斜視図、図２は、室内ユニットと天井パネルとを互いに分離した状態を示す斜視図である。
【００１５】
図１および図２に示すように、空気調和機１は、天井裏に据え付けられる室内ユニット２と、室内ユニット２の下端に取り付けられた天井パネル３と、を主要な要素として備えている。室内ユニット２は、天井４に開けた開口部４ａ（図７に示す）に空調すべき室内の側から挿入されるとともに、複数の吊りボルト（図示せず）を介して例えば天井裏の梁から吊り下げられている。
【００１６】
室内ユニット２は、板金製のケーシング５を備えている。ケーシング５は、下向きに開口された箱形の要素であって、ケーシング５の周方向に連続した側面部５ａを有している。さらに、ケーシング５の側面部５ａの四隅に夫々吊り金具６が固定されている。吊り金具６は、ケーシング５の側面部５ａから水平に突出されており、当該吊り金具６に前記吊りボルトの下端が連結されている。
【００１７】
図２に示すように、送風機７がケーシング５の内部に収容されている。送風機７としては、軸方向から空気を吸い込んで周方向に吐き出す、いわゆる遠心ファンを用いている。送風機７の上端は、ケーシング５の天板部で覆われているので、送風機７の下端が吸い込み側となる。
【００１８】
ケーシング５の下端部にドレンパン８が設けられている。ドレンパン８は、送風機７の周囲に配置された熱交換器（図示せず）から滴下するドレン水を受け止める要素であって、ケーシング５の下端部から露出されている。
【００１９】
ドレンパン８は、円形の開口部９を有している。開口部９は、ドレンパン８の中央に位置されている。ベルマウス１０がドレンパン８の開口部９に嵌め込まれている。ベルマウス１０は、送風機７の吸い込み側に連なる吸込口１１を構成している。吸込口１１は、ケーシング５の下端の中央部に位置されている。
【００２０】
さらに、ドレンパン８は、吸込口１１を取り囲む四つの周縁部を有している。ドレンパン８の周縁部に熱交換器を通過した空気が導かれる四つの切欠部１２が形成されている。切欠部１２は、夫々ドレンパン８の周縁部に沿って延びる細長い形状を有している。ドレンパン８の周方向に隣り合う切欠部１２は、互いに直交し合うような位置関係に保たれている。
【００２１】
天井パネル３は、室内ユニット２を室内から覆う要素であって、天井４の天井面４ｂに沿うような姿勢で配置されている。天井面４ｂは、空調すべき室内に露出されている。図２、図３および図４に示すように、天井パネル３は、吸込みグリル１５および枠体１６を備えている。吸込みグリル１５は、天井パネル３の中央部に位置されている。
【００２２】
吸込みグリル１５は、正方形状の外枠部１７と、外枠部１７で囲まれた格子部１８と、を備えている。外枠部１７を規定する四つの辺部は、所定の幅を有する細長いフラットな板状に形成されている。格子部１８は、吸込口１１の真下に位置するとともに、取り外し可能なフィルタを有している。
【００２３】
図４および図５に示すように、天井パネル３の枠体１６は、吸込みグリル１５を取り囲む正方形状の要素であって、天井４の開口部４ａと室内ユニット２との間の隙間を室内の側から覆い隠している。
【００２４】
枠体１６は、第１ないし第４のパネル片部２１ａ，２１ｂ，２１ｃ，２１ｄと、第１ないし第４のコーナ部２２ａ，２２ｂ，２２ｃ，２２ｄと、を備えている。第１ないし第４のパネル片部２１ａ，２１ｂ，２１ｃ，２１ｄは、吸込みグリル１５の外枠部１７が有する四つの辺部に沿う真っ直ぐな形状を有している。隣り合う第１ないし第４のパネル片部２１ａ，２１ｂ，２１ｃ，２１ｄは、互いに直交するような位置関係に保たれている。
【００２５】
第１ないし第４のコーナ部２２ａ，２２ｂ，２２ｃ，２２ｄは、天井パネル３の四隅に位置するとともに、枠体１６の周方向に隣り合う第１ないし第４のパネル片部２１ａ，２１ｂ，２１ｃ，２１ｄの間を一体的に繋いでいる。
【００２６】
具体的に述べると、図５に示すように、第１のコーナ部２２ａは、第１のパネル片部２１ａと第４のパネル片部２１ｄとの間を繋いでいる。第２のコーナ部２２ｂは、第１のパネル片部２１ａと第２のパネル片部２１ｂとの間を繋いでいる。第３のコーナ部２２ｃは、第２のパネル片部２１ｂと第３のパネル片部２１ｃとの間を繋いでいる。第４のコーナ部２２ｄは、第３のパネル片部２１ｃと第４のパネル片部２１ｄとの間を繋いでいる。
【００２７】
このことから、第１ないし第４のコーナ部２２ａ，２２ｂ，２２ｃ，２２ｄは、第１ないし第４のパネル片部２１ａ，２１ｂ，２１ｃ，２１ｄに連続する端部の一例であると言い換えることができる。したがって、第１ないし第４のパネル片部２１ａ，２１ｂ，２１ｃ，２１ｄは、第１ないし第４のコーナ部２２ａ，２２ｂ，２２ｃ，２２ｄを介して正方形状に枠組みされている。
【００２８】
図２ないし図５に示すように、第１ないし第４のパネル片部２１ａ，２１ｂ，２１ｃ，２１ｄは、夫々真っ直ぐな縁部２３ａ，２３ｂ，２３ｃ，２３ｄを有している。枠部１６の周方向に隣り合う縁部２３ａ，２３ｂ，２３ｃ，２３ｄは、互いに直交し合うような位置関係に保たれている。
【００２９】
さらに、第１ないし第４のコーナ部２２ａ，２２ｂ，２２ｃ，２２ｄは、夫々直角に折れ曲がった端縁部２４ａ，２４ｂ，２４ｃ，２４ｄを有している。縁部２３ａ，２３ｂ，２３ｃ，２３ｄおよび端縁部２４ａ，２４ｂ，２４ｃ，２４ｄは、互いに協働して天井パネル３の外郭を規定している。
【００３０】
図４に示すように、本実施形態の吸込みグリル１５は、外枠部１７の一つの辺部が第１ないし第４のパネル片部２２ａ，２２ｂ，２２ｃ，２２ｄのいずれかに選択的に回動可能に連結されている。そのため、吸込みグリル１５は、天井パネル３の枠体１６に対し下向きに回動させることができる。これにより、吸込みグリル１５の格子部１８からフィルタを取り外して清掃したり、フィルタを交換するといった日常のメンテナンス作業を実施できる。
【００３１】
図３に示すように、天井パネル３は、熱交換器を通過した空気を室内に吹き出す四つの吹出口２６を有している。吹出口２６は、ドレンパン８が有する四つの切欠部１２と向かい合うように、枠体１６の第１ないし第４のパネル片部２１ａ，２１ｂ，２１ｃ，２１ｄに形成されている。
【００３２】
吹出口２６は、第１ないし第４のパネル片部２２ａ，２２ｂ，２２ｃ，２２ｄに沿って延びる細長い開口形状を有している。さらに、吹出口２６は、第１ないし第４のパネル片部２２ａ，２２ｂ，２２ｃ，２２ｄの縁部２３ａ，２３ｂ，２３ｃ，２３ｄよりも吸込みグリル１５の外枠部１７の側に片寄っている。この結果、吹出口２６は、縁部２３ａ，２３ｂ，２３ｃ，２３ｄから外れた位置で第１ないし第４のパネル片部２２ａ，２２ｂ，２２ｃ，２２ｄの上に開口されている。
【００３３】
図１ないし図５に示すように、四つのルーバー２７が天井パネル３の枠体１６に支持されている。ルーバー２７は、吹出口２６から室内に向けて吹き出す空気の吹き出し方向を変化させる要素であって、互いに共通の構成を有している。そのため、本実施形態では、第１のパネル片部２１ａの吹出口２６に対応するルーバー２７を代表して説明し、その他のルーバー２７に関しては同一の参照符号を付して、その説明を省略する。
【００３４】
図６および図７に最もよく示されるように、ルーバー２７は、フラットな薄い板であり、枠体１６の第１のパネル片部２１ａを下方から全面的に覆うような大きさを有している。すなわち、ルーバー２７は、第１のパネル片部２１ａと平行な状態において、吹出口２６と向かい合う主部２７ａと、当該主部２７ａから第１のパネル片部２２ａの縁部２３ａに向けて延長された延長部２７ｂと、を含んでいる。
【００３５】
さらに、ルーバー２７は、室内に露出される化粧面２８ａと、化粧面２８ａの裏側に位置された背面２８ｂと、ルーバー２７の長手方向に延びた第１の側縁２８ｃおよび第２の側縁２８ｄと、ルーバー２７の幅方向に延びた第１の端縁２９ａおよび第２の端縁２９ｂと、を有している。
【００３６】
化粧面２８ａおよび背面２８ｂは、夫々平坦な面である。第１の側縁２８ｃおよび第２の側縁２８ｄは、ルーバー２７の長手方向に真っ直ぐに延びているとともに、当該ルーバー２７の幅方向に互いに間隔を存して平行に配置されている。第１の端縁２９ａおよび第２の端縁２９ｂは、ルーバー２７の幅方向に真っ直ぐに延びているとともに、当該ルーバー２７の長手方向に互いに間隔を存して平行に配置されている。そのため、ルーバー２７は、四つの角が全て直角な矩形状に形成されている。
【００３７】
図６に示すように、ルーバー２７の第１の端縁２９ａに支持壁３１ａが形成されている。同様に、ルーバー２７の第２の端縁２９ｂに他の支持壁３１ｂが形成されている。支持壁３１ａ，３１ｂは、ルーバー２７の長手方向に向かい合うようにルーバー２７の背面２８ｂから起立されている。
【００３８】
支持壁３１ａ，３１ｂの外側面に夫々枢軸３２ａ，３２ｂが設けられている。枢軸３２ａ，３２ｂは、ルーバー２７の長手方向に沿う水平線Ｏ１の上に同軸状に位置するように、支持壁３１ａ，３１ｂの外側面から互いに逆向きに突出されている。
【００３９】
ルーバー２７の枢軸３２ａ，３２ｂは、第１のパネル片部２１ａの両側に位置された第１のコーナ部２２ａおよび第２のコーナ部２２ｂに図示しない軸受を介して回動可能に支持されている。さらに、一方の枢軸３２ａは、図示しないモータに連結されている。そのため、ルーバー２７は、枢軸３２ａ，３２ｂを中心に閉じ位置と開き位置との間で回動可能に枠体１６に支持されている。
【００４０】
図１および図７は、ルーバー２７が閉じ位置に回動された状態を示している。閉じ位置では、ルーバー２７は、吹出口２６を閉じるように第１のパネル片部２１ａの下で水平に横たわるとともに、第１のパネル片部２１ａを下方から全面的に覆い隠している。
【００４１】
図３および図８は、ルーバー２７が開き位置に回動された状態を示している。開き位置では、ルーバー２７は、吹出口２６を開放するように起立している。すなわち、ルーバー２７の主部２７ａおよび第１の側縁２８ｃが吹出口２６に入り込むとともに、延長部２７ｂが第１のパネル片部２１ａの下方に向けて突出するような姿勢に傾いている。ルーバー２７が開き位置に回動された状態では、ルーバー２７の第２の側縁２８ｄは、ルーバー２７に対し吹出口２６から吹き出す空気の流れ方向に沿う下流端に位置する先端縁と言い換えることができる。
【００４２】
図６ないし図８に示すように、補強部３４がルーバー２７の背面２８ｂに一体に形成されている。補強部３４は、ルーバー２７の主部２７ａに対応するように当該ルーバー２７の背面２８ｂの中間部に位置されている。ルーバー２７が開き位置に回動された状態では、補強部３４が吹出口２６の内側に入り込むようになっている。
【００４３】
補強部３４は、フラットな羽根板３５を有している。羽根板３５は、ルーバー２７の第１の側縁２８ｃに沿うように一直線状に延びている。さらに、羽根板３５の長手方向に沿う両端部にルーバー２７の背面２８ｂに向けて直角に折り曲げられた起立部３６ａ，３６ｂが形成されている。起立部３６ａ，３６ｂは、ルーバー２７の幅方向に延びているとともに、その下端がルーバー２７の背面２８ｂに連結されている。
【００４４】
このため、羽根板３５は、ルーバー２７の背面２８ｂと平行に配置されており、当該羽根板３５とルーバー２７の背面２８ｂとの間には、狭小な風路３７が形成されている。
【００４５】
複数のリブ３８が風路３７内に配置されている。リブ３８は、ルーバー２７の幅方向延びているとともに、ルーバー２７の長手方向に間隔を存して並んでいる。リブ３８は、羽根板３５とルーバー２７の背面２８ｂとの間を結んでいる。
【００４６】
本実施形態のルーバー２７は、第２の側縁２８ｄから立ち上がる風向ガイド４０を備えている。風向ガイド４０は、ルーバー２７の第２の側縁２８ｄから上向きに直角に折り曲げられた要素であって、ルーバー２７の化粧面２８ａと直交する外面４０ａおよび背面２８ｂと直交する内面４０ｂを有している。風向ガイド４０は、ルーバー２７の全長に亘って延びている。風向ガイド４０の高さＨ１は、ルーバー２７の全長に亘って一定に保たれている。
【００４７】
図７に示すように、ルーバー２７が閉じ位置に回動された状態では、ルーバー２７の風向ガイド４０が第１のパネル片部２１ａの縁部２３ａに被さっている。そのため、第１のパネル片部２１ａは、ルーバー２７が閉じ位置に回動されている限り、当該ルーバー２７により室内に露出しないように覆い隠されている。この点は、第２ないし第４のパネル片部２１ｂ，２１ｃ，２１ｄにおいても同様である。
【００４８】
加えて、ルーバー２７が閉じ位置に回動された状態では、風向ガイド４０の上端が天井面４ｂと向かい合うとともに、風向ガイド４０の上端と天井面４ｂとの間に僅かな隙間ｇが形成されている。
【００４９】
図１ないし図５に示すように、枠体１６の第１ないし第４のコーナ部２２ａ，２２ｂ，２２ｃ，２２ｄは、夫々取り外し可能な化粧カバー４１で覆われている。化粧カバー４１は、第１ないし第４のコーナ部２２ａ，２２ｂ，２２ｃ，２２ｄを下方から全面的に覆うようなフラットな形状を有している。
【００５０】
化粧カバー４１の外周縁に上向きに立ち上がる起立壁４２が形成されている。起立壁４２は、第１ないし第４のコーナ部２２ａ，２２ｂ，２２ｃ，２２ｄの端縁部２４ａ，２４ｂ，２４ｃ，２４ｄに被さっている。起立壁４２の高さＨ２は、ルーバー２７の風向ガイド４０の高さＨ１と同一である。本実施形態では、ルーバー２７が閉じ位置に回動された状態では、ルーバー２７の風向ガイド４０が化粧カバー４１の起立壁４２と協働して枠体１６を取り囲むとともに、ルーバー２７の化粧面２８ａが化粧カバー４１に対し面一に連続する。
【００５１】
したがって、ルーバー２７が吹出口２６を閉じた状態では、室内から見えるのは、吸込みグリル１５、四つのルーバー２７および四つの化粧カバー４１に止まり、天井パネル３の枠体１６が室内に露出することはない。
【００５２】
天井パネル３の枠体１６、吸込みグリル１５の外枠部１７および格子部１８、ルーバー２７ならびに化粧カバー４１は、合成樹脂材料で形成されている。外枠部１７、格子部１８、ルーバー２７ならびに化粧カバー４１は、一体感を高めるために同一の色とすることが望ましい。
【００５３】
第１の実施形態において、空気調和機１が冷房運転する時、ルーバー２７は、吹出口２６から吹き出す冷風を天井面４ｂに沿うように水平方向に案内する。逆に、空気調和機１が暖房運転する時、ルーバー２７は、吹出口２６から吹き出す温風を天井面４ｂの下方に向けて案内する。
【００５４】
ルーバー２７は、閉じ位置に回動された時に、吹出口２６が開口された第１ないし第４のパネル片部２１ａ，２１ｂ，２１ｃ，２１ｄを下方から全面的に覆う大きさを有している。具体的には、ルーバー２７は、吹出口２６と向かい合う主部２７ａから枠体１６の外郭を規定する縁部２３ａ，２３ｂ，２３ｃ，２３ｄに向けて延長された延長部２７ｂと、縁部２３ａ，２３ｂ，２３ｃ，２３ｄに被さる風向ガイド４０を有している。
【００５５】
このため、ルーバー２７が閉じ位置に回動された状態では、枠体１６の第１ないし第４のパネル片部２１ａ，２１ｂ，２１ｃ，２１ｄがルーバー２７によって覆い隠されるとともに、ルーバー２７と吹出口２６との境界を示すような境界線が排除される。
【００５６】
加えて、ルーバー２７が閉じ位置に回動された状態では、ルーバー２７の化粧面２８ａが枠体１６の第１ないし第４のコーナ部２２ａ，２２ｂ，２２ｃ，２２ｄを覆う化粧カバー４１に面一に連続する。
【００５７】
したがって、ルーバー２７が閉じ位置に回動されている限り、天井パネル３が室内に露出することはなく、空気調和機１を室内から見上げた時にシンプルでスマートな外観を得ることができる。
【００５８】
さらに、天井パネル３の第１ないし第４のコーナ部２２ａ，２２ｂ，２２ｃ，２２ｄは、メンテナンス時を除き化粧カバー４１で覆い隠されている。天井パネル３の第１ないし第４のパネル片部２１ａ，２１ｂ，２１ｃ，２１ｄは、ルーバー２７が開き位置に回動された時に、化粧カバー４１の間から室内に露出されるに止まる。このため、天井パネル３の枠体１６に体裁を維持するための格別な仕上げ加工を施す必要はなく、空気調和機１のコストを低減することができる。
【００５９】
本実施形態によると、図８に示すように、ルーバー２７が開き位置に回動された状態では、吹出口２６から吹き出す空気は、ルーバー２７の化粧面２８ａおよび背面２８ｂに沿って流れる。ルーバー２７は、主部２７ａから延長された延長部２７ｂを有し、当該延長部２７ｂが吹出口２６の下で第１ないし第４のパネル片部２１ａ，２１ｂ，２１ｃ，２１ｄの縁部２３ａ，２３ｂ，２３ｃ，２３ｄに向けて斜めに張り出している。
【００６０】
したがって、吹出口２６からルーバー２７の背面２８ｂに向かう空気の主流を確実にルーバー２７の背面２８ｂの上に載せることができ、吹出口２６からの空気の吹き出し方向をルーバー２７の傾斜角度に応じて容易にコントロールすることができる。
【００６１】
それとともに、ルーバー２７が開き位置に回動された状態において、ルーバー２７の背面２８ｂで案内された空気は、ルーバー２７の下流端となる縁部２３ａ，２３ｂ，２３ｃ，２３ｄに達した時点で、縁部２３ａ，２３ｂ，２３ｃ，２３ｄから立ち上がる風向ガイド４０に当たる。
【００６２】
この結果、傾斜されたルーバー２７に沿うように吹出口２６から斜め下向きに案内される空気は、図８に矢印で示すように、風向ガイド４０に当たることで吹き出し方向が水平に変更される。したがって、ルーバー２７の開度を拡げて室内に吹き出す空気量を十分に確保しつつ、空気を天井面４ｂに沿うように略水平方向に導くことができ、ドラフト感を緩和できる。
【００６３】
しかも、ルーバー２７の開度を拡げることで、ルーバー２７の化粧面２８ａおよび背面２８ｂが起立するので、吹出口２６から吹き出す空気の主流がルーバー２７の化粧面２８ａおよび背面２８ｂの双方に沿って流れる。言い換えると、ルーバー２７の化粧面２８ａおよび背面２８ｂが吹出口２６から吹き出す空気の流れによって包まれる。
【００６４】
この結果、特に吹出口２６から冷風が吹き出す冷房運転時において、ルーバー２７の化粧面２８ａと背面２８ｂとの間の温度差が小さくなり、ルーバー２７に温度差に基づく結露が生じるのを回避できる。
【００６５】
本実施形態によると、ルーバー２７は、背面２８ｂに補強部３４を有する。吹出口２６から吹き出す空気の一部は、羽根板３５と背面２８ｂとの間の風路３７を通過する。風路３７は、羽根板３５の起立部３６ａ，３６ｂの高さに相当する隙間により規定されているので、吹出口２６の内側で風路面積が絞られている。このため、風路３７を通過する空気の流れが強制的に絞られ、当該空気の流速が増大する。よって、風路３７を通過する空気は、指向性が強く、遠くまで届く成分となる。
【００６６】
さらに、補強部３４の存在により、ルーバー２７の肉厚をある程度まで薄くしても、ルーバー２７の強度を確保できる。このため、ルーバー２７の反りを防止できるとともに、ルーバー２７の化粧面２８ａの平坦度を維持して、ルーバー２７の体裁を良好に維持することができる。
【００６７】
［第２の実施形態］
図９は、第２の実施形態を開示している。第２の実施形態は、ルーバー２７の風向ガイド４０の形状が第１の実施形態と相違しており、それ以外の空気調和機１の構成は、第１の実施形態と同様である。
【００６８】
図９に示すように、風向ガイド４０は、ルーバー２７の背面２８ｂに連続する内面５０を有している。内面５０は、背面２８ｂに対し直交することなく滑らかな円弧を描くように湾曲されている。
【００６９】
第２の実施形態によると、傾斜されたルーバー２７に沿うように吹出口２６から斜め下向きに吹き出す空気は、風向ガイド４０の湾曲された内面５０に当たることで吹き出し方向が水平に変更される。したがって、空気の流れ方向を円滑に変更することができ、風切り音を低く抑えることができる。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１…空気調和機、２…室内ユニット、３…天井パネル、４ｂ…天井面、１１…吸込口、１５…吸込みグリル、１６…枠体、２１ａ，２１ｂ，２１ｃ，２１ｄ…第１ないし第４のパネル片部、２３ａ，２３ｂ，２３ｃ，２３ｄ…縁部、２６…吸込口、２７…ルーバー、４０…風向ガイド。
【図１】
2018141575.tif 000003
【図２】
2018141575.tif 000004
【図３】
2018141575.tif 000005
【図４】
2018141575.tif 000006
【図５】
2018141575.tif 000007
【図６】
2018141575.tif 000008
【図７】
2018141575.tif 000009
【図８】
2018141575.tif 000010
【図９】
2018141575.tif 000011